(57)【要約】  本発明の目的は、実用性及び利便性等に優れたスライドトレイを提供することにある。本発明のスライドトレイは、１以上のスライドを載置可能な第１の面を有するスライドトレイ本体と、前記スライドトレイ本体の第１の面に突出した１以上の凸部であって、前記第１の面上に紙葉類を、前記第１の面上で互いに直交する２軸方向のうちの第１軸方向の一方側より押さえつつ載置可能な領域を設定する１以上の凸部とを具備する。
2014034048.tif 000002
【特許請求の範囲】
【請求項１】
１以上のスライドを載置可能な第１の面を有するスライドトレイ本体と、  前記スライドトレイ本体の第１の面に突出した１以上の第１の凸部であって、前記第１の面上に紙葉類を、前記第１の面上で互いに直交する２軸方向のうちの第１軸方向の一方側より押さえつつ載置可能な領域を設定する１以上の第１の凸部と  を具備するスライドトレイ。
【請求項２】
請求項１に記載のスライドトレイであって、  前記スライドトレイ本体の前記第１の面に対して反対側の第２の面に、前記１以上の第１の凸部に対してそれぞれ対応して設けられた第１の凹部  をさらに具備するスライドトレイ。
【請求項３】
請求項２に記載のスライドトレイであって、  前記領域は、前記１以上の第１の凸部と、前記第１の面の前記第１軸方向の他方側の辺の一部とにより設定される  スライドトレイ。
【請求項４】
請求項３に記載のスライドトレイであって、  前記第１の面上に紙葉類を、前記２軸方向のうちの第２軸方向の少なくとも一方側より押さえつつ載置可能な領域を設定する１以上の第２の凸部  をさらに具備するスライドトレイ。
【請求項５】
請求項４に記載のスライドトレイであって、  前記１以上の第１の凸部の前記領域に対向する端部は、前記第２軸方向に一直線上に位置し、  前記１以上の第２の凸部の前記領域に対向する端部は、前記第１軸方向に一直線上に位置する  スライドトレイ。
【請求項６】
請求項５に記載のスライドトレイであって、  前記スライドトレイ本体の前記第２の面に、前記１以上の第２の凸部に対してそれぞれ対応して設けられた第２の凹部  をさらに具備するスライドトレイ。
【発明の詳細な説明】
【技術分野】
【０００１】  本技術は、スライドを収納するスライドトレイに関する。
【背景技術】
【０００２】  医療又は病理等の分野において、生体の細胞、組織、臓器等の切片を載置した光学顕微鏡用スライドガラス（以下単に「スライド」と呼ぶ）を、複数枚縦横に並べて収納するスライドトレイ（「マッペ」とも呼ばれる）が知られている（例えば、特許文献１参照。）。このようなスライドトレイは、複数枚スタックされて保管されることが多い。しかし、スライドトレイが整列してスタックされていない場合等には、スライドトレイが崩れ落ちるおそれがある。また、スライドトレイ同士の間にカルテなどの用紙が挟まれた状態で、スライドトレイがスタックされることが多い。スライドトレイ同士の間に用紙が挟まれ、その用紙がスライドトレイからはみ出すことで、複数のスライドトレイを整列してスタックすることがさらに困難になる。また、スライドトレイから用紙がはみ出すことにより、スライドトレイの側面に貼付又は記載されたラベル等が視認しにくくなる。このように、スライドトレイの実用性及び利便性等には改善の余地がある。
【先行技術文献】
【特許文献】
【０００３】
【特許文献１】特開平０７−２９１３８６号公報
【発明の概要】
【発明が解決しようとする課題】
【０００４】  以上のような事情に鑑み、本技術の目的は、実用性及び利便性等に優れたスライドトレイを提供することにある。
【課題を解決するための手段】
【０００５】  上記課題を解決するため、本発明の一実施形態に係るスライドトレイは、１以上のスライドを載置可能な第１の面を有するスライドトレイ本体と、前記スライドトレイ本体の第１の面に突出した１以上の第１の凸部であって、前記第１の面上に紙葉類を、前記第１の面上で互いに直交する２軸方向のうちの第１軸方向の一方側より押さえつつ載置可能な領域を設定する１以上の第１の凸部とを具備する。【０００６】  スライドトレイは、前記スライドトレイ本体の前記第１の面に対して反対側の第２の面に、前記１以上の第１の凸部に対してそれぞれ対応して設けられた第１の凹部をさらに具備する。【０００７】  前記領域は、前記１以上の第１の凸部と、前記第１の面の前記第１軸方向の他方側の辺の一部とにより設定される。【０００８】  スライドトレイは、前記第１の面上に紙葉類を、前記２軸方向のうちの第２軸方向の少なくとも一方側より押さえつつ載置可能な領域を設定する１以上の第２の凸部をさらに具備する。【０００９】  前記１以上の第１の凸部の前記領域に対向する端部は、前記第２軸方向に一直線上に位置し、前記１以上の第２の凸部の前記領域に対向する端部は、前記第１軸方向に一直線上に位置する。【００１０】  スライドトレイは、前記スライドトレイ本体の前記第２の面に、前記１以上の第２の凸部に対してそれぞれ対応して設けられた第２の凹部をさらに具備する。
【発明の効果】
【００１１】  本技術によれば、実用性及び利便性等に優れたスライドトレイを提供可能である。
【図面の簡単な説明】
【００１２】
【図１】一実施形態に係るスライドトレイを示す斜視図である。
【図２】スライドトレイの上面図である。
【図３】スライドトレイを下面側から示す斜視図である。
【図４】スライドトレイのサイズの具体例を説明するための、スライドトレイの上面図である。
【発明を実施するための形態】
【００１３】  以下、本技術に係る実施形態を、図面を参照しながら説明する。
【００１４】  ＜実施形態＞  ［１．スライドトレイの構成］  図１は、一実施形態に係るスライドトレイ１を示す斜視図である。  スライドトレイ１は、１以上のスライド収納部１００、１００と、フレーム２００とを有する。１以上のスライド収納部１００、１００と、フレーム２００とにより、スライドトレイ本体１０が構成される。１以上のスライド収納部１００、１００は、スライドトレイ本体１０の上面１１（第１の面）に位置する。スライドトレイ本体１０の上面１１は、例えば長方形状である。１以上のスライド収納部１００、１００はそれぞれ、複数のスライド（図示せず）を載置して収納可能である。フレーム２００は、１以上のスライド収納部１００、１００をそれぞれ区画し、包囲し、拘束する。フレーム２００の高さは、スライド収納部１００の高さ以上である。
【００１５】  なお、本明細書において「長方形状」とは、厳密な長方形（すなわち、４つの角が直角で、対向する２辺の長さが同一な四角形）の形状のみを示すものではなく、略長方形の形状をも含む。例えば、直交する２辺により形成される角が、丸みを帯びていたり、切欠かれていても、「長方形状」と呼ぶ。また、任意の辺に凹又は凸があっても、全体的に見て長方形の印象が強く支配的であれば「長方形状」と呼ぶ。
【００１６】  ［１．１．スライド収納部の構成］  １以上のスライド収納部１００、１００は同一の構成を有するため、以下、１以上のスライド収納部１００、１００を区別しないときは「スライド収納部１００」と呼び、１つのスライド収納部１００について説明する。
【００１７】  スライド収納部１００は、載置板１０１と、複数の仕切り壁１０２と、外枠１０３とを有する。載置板１０１には、複数のスライドを互いに隣り合わせて載置可能である。
【００１８】  複数の仕切り壁１０２は、載置板１０１から、載置板１０１に直交する方向に突出し、複数のスライドが互いに隣り合わせて載置される載置板１０１を区画し、複数のスライドを互いに離間させる。具体的には、複数の仕切り壁１０２は、長方形状薄板である複数のスライドの長辺が互いに隣り合い、かつ、スライドの一面が載置板１０１に全面的に接触した状態で、複数のスライドを１列に縦列させることが可能なように、載置板１０１を区画する。複数の仕切り壁１０２は、載置板１０１に載置されたスライドの縦列方向の移動を規制する。
【００１９】  なお、以下の説明において、載置板１０１上での複数のスライドの縦列方向（スライドの短辺方向）をＹ方向（第２軸方向）と呼ぶ。載置板１０１上でＹ方向と直交する方向（スライドの長辺方向）をＸ方向（第１軸の方向）と呼ぶ。載置板１０１に直交する方向（スライドの厚み方向）をＺ方向と呼ぶ。
【００２０】  外枠１０３は、載置板１０１の周囲を囲み、載置板１０１からＺ方向に突出する。載置板１０１からの外枠１０３のＺ方向高さと、載置板１０１からの複数の仕切り壁１０２のＺ方向高さとは等しい。より具体的には、外枠１０３及び複数の仕切り壁１０２のＺ方向高さは、一般的なスライドの厚みよりも大きく設定される。外枠１０３は、Ｘ方向に長手をもつ１対の第１の外枠１０４、１０４と、Ｙ方向に長手をもつ１対の第２の外枠１０５、１０５とを有する。１対の第１の外枠１０４、１０４は、それぞれ、縦列方向両端に位置する各スライドのＹ方向の移動を規制する。１対の第２の外枠１０５、１０５は、それぞれ、複数のスライドのＸ方向の移動を規制する。このように、スライドの４辺が、仕切り部としての外枠１０３及び仕切り壁１０２に接触するように配置される。この状態で、仕切り部としての外枠１０３及び複数の仕切り壁１０２は、スライドの移動を規制する。
【００２１】  ［１．２．複数の凸部］  図２は、スライドトレイ１の上面図である。  スライドトレイ本体１０の上面１１（第１の面）には、Ｚ方向に突出する複数の凸部が設けられる。具体的には、フレーム２００の上面２１２に、Ｚ方向に突出する複数の凸部が設けられる。より具体的には、本例では、第１の長辺側凸部２１６と、第２の長辺側凸部２１７と、第１の短辺側凸部２２０と、第２の短辺側凸部２２１と、第３の短辺側凸部２２４とが設けられる。
【００２２】  第１の長辺側凸部２１６及び第２の長辺側凸部２１７は、スライドトレイ本体１０の長方形状の上面１１の、Ｙ方向に延びる一方の長辺２１３に沿って設けられる。より具体的には、第１の長辺側凸部２１６の、他方の長辺２１４に対向する端部２１８と、第２の長辺側凸部２１７の、長辺２１４に対向する端部２１９とは、Ｙ方向に一直線上に位置する。
【００２３】  第１の短辺側凸部２２０及び第２の短辺側凸部２２１は、スライドトレイ本体１０の長方形状の上面１１の、Ｘ方向に延びる一方の短辺２１５に沿って設けられる。より具体的には、第１の短辺側凸部２２０の、他方の短辺２２８に対向する端部２２２と、第２の短辺側凸部２２１の、短辺２２８に対向する端部２２３とは、Ｘ方向に一直線上に位置する。
【００２４】  第３の短辺側凸部２２４は、スライドトレイ本体１０の長方形状の上面１１の短辺２２８に沿って設けられる。より具体的には、第３の短辺側凸部２２４の、短辺２１５に対向する端部２２９は、Ｘ方向に一直線上に位置する。
【００２５】  第１の長辺側凸部２１６の端部２１８、第２の長辺側凸部２１７の端部２１９、第１の短辺側凸部２２０の端部２２２、第２の短辺側凸部２２１の端部２２３、第３の短辺側凸部２２４の端部２２９、長辺２１４の一部により設定（区画）される領域（斜線領域）は、凸部禁止領域２２５とされる。凸部禁止領域２２５は、Ｚ方向に突出する凸部の設置が禁止された領域である。
【００２６】  図３は、スライドトレイ１を下面側から示す斜視図である。  少なくとも、スライドトレイ本体１０の下面１２（第２の面）の、第１の長辺側凸部２１６と、第２の長辺側凸部２１７と、第１の短辺側凸部２２０と、第２の短辺側凸部２２１と、第３の短辺側凸部２２４とにそれぞれ対応して、Ｚ方向に窪む少なくとも凹部が設けられる。本例では、第１の長辺側凸部２１６に対向する第１の長辺側凹部２３１（第１の凹部）と、第２の長辺側凸部２１７に対向する第２の長辺側凹部２３２（第１の凹部）とが、スライドトレイ本体１０の下面１２に設けられる。さらに、第１の短辺側凸部２２０に対向する第１の短辺側凹部２３３（第２の凹部）と、第２の短辺側凸部２２１に対向する第２の短辺側凹部２３４（第２の凹部）とが、スライドトレイ本体１０の下面１２に設けられる。さらに、第３の短辺側凸部２２４に対向する第３の短辺側凹部２３５（第３の凹部）が、スライドトレイ本体１０の下面１２に設けられる。これら各凹部２３１、２３２、２３３、２３４、２３５のＺ方向の深さは、それぞれ、各凸部２１６、２１７、２２０、２２１、２２４のＺ方向の突出長さ以上である。より具体的には、各凹部２３１、２３２、２３３、２３４、２３５は、それぞれ、対向する各凸部２１６、２１７、２２０、２２１、２２４と同一形状の凸部を完全に収納可能な形状を有する。
【００２７】  ［２．スライドトレイのスタック］  上記のように構成されたフレーム２００を有するスライドトレイ１を、Ｚ方向に複数枚スタックすることが可能である。具体的には、１つのスライドトレイ１（下側スライドトレイ１）の第１及び第２の長辺側凸部２１６、２１７を、別のスライドトレイ１（上側スライドトレイ１）の第１及び第２の長辺側凹部２３１、２３２にそれぞれ嵌合させる。１つのスライドトレイ１（下側スライドトレイ１）の第１、第２及び第３の短辺側凸部２２０、２２１、２２４を、別のスライドトレイ１（上側スライドトレイ１）の第１、第２及び第３の短辺側凹部２３３、２３４、２３５にそれぞれ嵌合させる。この場合、上側スライドトレイ１のスライドトレイ本体１０の下面１２は、下側スライドトレイ１のスライドトレイ本体１０の上面１１に当接する。これにより、上側スライドトレイ１が、下側スライドトレイ１により水平に保持される。ここで、フレーム２００のＺ方向高さは、スライド収納部１００のＺ方向高さ以上である。このため、スライド収納部１００にスライドを収納した状態で複数のスライドトレイ１をスタックしても、上側スライドトレイ１が、下側スライドトレイ１に収納されたスライドに干渉しない。
【００２８】  また、凸部禁止領域２２５にカルテなどの紙葉類を載置し、スライドトレイ１同士の間に紙葉類が挟まれた状態で、スライドトレイ１をスタックすることも可能である。上述のように、スライド収納部１００において、載置板１０１からの外枠１０３のＺ方向高さと、載置板１０１からの複数の仕切り壁１０２のＺ方向高さとは等しい。このため、スライドトレイ１に挟まれた用紙の下面は、下側のスライドトレイ１のスライド収納部１００に平面的に支持される。一方、用紙の上面は、上側のスライドトレイ１の下面に平面的に支持される。
【００２９】  また、スライド収納部１００の外枠１０３及び複数の仕切り壁１０２のＺ方向高さは、一般的なスライドの厚みよりも大きく設定される。このため、スライド収納部１００にスライドを収納した状態で、用紙が挟まれた状態で複数のスライドトレイ１をスタックしたとき、用紙はスライドの上面より高い位置にある外枠１０３及び複数の仕切り壁１０２に平面的に支持される。これにより、用紙が、下側スライドトレイ１に収納されたスライドに干渉しない。
【００３０】  以上のように、複数の凸部２１６、２１７、２２０、２２１、２２４及び複数の凹部２３１、２３２、２３３、２３４、２３５が互いに嵌合する。これにより、少なくとも、次のような効果が得られる。（１）複数の凸部２１６、２１７、２２０、２２１、２２４及び複数の凹部２３１、２３２、２３３、２３４、２３５がスタック時のガイドとなり、複数のスライドトレイ１を、ＸＹＺの３方向に整列状態で容易にスタックすることができる。（２）３つの辺２１３、２１５、２２８に設けられた複数の凸部２１６、２１７、２２０、２２１、２２４及び複数の凹部２３１、２３２、２３３、２３４、２３５が互いに嵌合するため、嵌合が堅牢である。このため、スライドトレイ１が安定性よくスタックされ、スライドトレイ１が崩れにくい。
【００３１】  ［３．スライドトレイのサイズの具体例］  図４は、スライドトレイ１のサイズの具体例を説明するための、スライドトレイ１の上面図である。  スライドトレイ１のサイズの具体例として、以下のサイズが挙げられる。すなわち、第１の長辺側凸部２１６の、長辺２１４に対向する端部２１８及び第２の長辺側凸部２１７の、長辺２１４に対向する端部２１９と、第２の辺２１４とのＸ方向の距離は、１９２．５ｍｍである。第１の短辺側凸部２２０の、短辺２２８に対向する端部２２２と、第３の短辺側凸部２２４の、短辺２１５に対向する端部２２９とのＹ方向の距離は、３０２ｍｍである。言い換えれば、凸部禁止領域２２５のＸ方向の長さは１９２．５ｍｍであり、Ｙ方向の長さは３０２ｍｍである。
【００３２】  凸部禁止領域２２５に用紙Ｐ（カルテ等の紙葉類）を載置し、スライドトレイ１同士の間に用紙Ｐを挟んだ状態で、複数のスライドトレイ１をスタックするとする。例えば、最も使用頻度が高いと考えられるＡ４サイズ（２１０ｍｍ×２９７ｍｍ）の用紙を、用紙の短辺がＸ方向に平行、長辺がＹ方向に平行となるようにして凸部禁止領域２２５に載置し、スライドトレイ１同士の間に挟むとする。用紙の長辺（２９７ｍｍ）は、第１の短辺側凸部２２０及び第２の短辺側凸部２２１と、第３の短辺側凸部２２４とのＹ方向の距離（３０２ｍｍ）より５ｍｍ短いだけである。このため、用紙は、第１の短辺側凸部２２０、第２の短辺側凸部２２１及び第３の短辺側凸部２２４により、Ｙ方向の両方側から押さえられて移動を規制されることとなり、用紙がスライドトレイ１上で回転等することなく、Ｙ方向で位置決めされる。
【００３３】  また、凸部禁止領域２２５に載置された用紙の一方の長辺を、第１の長辺側凸部２１６の側面２１８及び第２の長辺側凸部２１７の側面２１９に当接させる。これにより、用紙は、第１の長辺側凸部２１６及び第２の長辺側凸部２１７により、Ｘ方向の一方側から押さえられて移動を規制されることとなり、Ｘ方向で位置決めされる。一方、用紙の短辺（２１０ｍｍ）は、第１の長辺側凸部２１６の側面２１８及び第２の長辺側凸部２１７の側面２１９と、第２の辺２１４との距離（１９２．５ｍｍ）より１７．５ｍｍ長い。このため、用紙は、フレーム２００の第２の辺２１４から１７．５ｍｍはみ出す。はみ出し量は、紙幅全体（２１０ｍｍ）に対して僅か１７．５ｍｍであるため、この部分がスライドトレイ１同士の間に挟まれていなくても、はみ出し部分が撓んだり、撓みにより用紙がスライドトレイ１から抜け落ちてしまう可能性は低い。また、Ａ４サイズの用紙であれば、用紙の一部が必ずはみ出すため、用紙が挟まれているか否かを一目で視認することができる。
【００３４】  例えば、Ａ４サイズに次いで使用頻度が高いと考えられるＵＳレターサイズ（２１５．９ｍｍ×２７９．４ｍｍ）の用紙を、用紙の短辺がＸ方向に平行、長辺がＹ方向に平行となるようにして凸部禁止領域２２５に載置し、スライドトレイ１同士の間に挟むとする。用紙の長辺（２７９．４ｍｍ）は、第１の短辺側凸部２２０及び第２の短辺側凸部２２１と、第３の短辺側凸部２２４との距離（３０２ｍｍ）より２２．６ｍｍ短いだけである。このため、用紙は、Ｙ方向にて第１の短辺側凸部２２０、第２の短辺側凸部２２１及び第３の短辺側凸部２２４により、Ｙ方向の両方側から押さえられて移動を規制されることとなり、用紙がスライドトレイ１上で回転等することなく、位置決めされる。
【００３５】  また、凸部禁止領域２２５に載置された用紙の一方の長辺を、第１の長辺側凸部２１６の側面２１８及び第２の長辺側凸部２１７の側面２１９に当接させる。これにより、用紙は、第１の長辺側凸部２１６及び第２の長辺側凸部２１７により、Ｘ方向の一方側から押さえられて移動を規制されることとなり、Ｘ方向で位置決めされる。一方、用紙の短辺（２１５．９ｍｍ）は、第１の長辺側凸部２１６の側面２１８及び第２の長辺側凸部２１７の側面２１９と、第２の辺２１４との距離（１９２．５ｍｍ）より２３．４ｍｍ長い。このため、用紙は、フレーム２００の第２の辺２１４から２３．４ｍｍはみ出す。はみ出し量は、紙幅全体（２１５．９ｍｍ）に対して僅か２３．４ｍｍであるため、この部分がスライドトレイ１同士の間に挟まれていなくても、はみ出し部分が撓んだり、撓みにより用紙がスライドトレイ１から抜け落ちてしまう可能性は低い。また、ＵＳレターサイズの用紙であれば、用紙の一部が必ずはみ出すため、用紙が挟まれているか否かを一目で視認することができる。
【００３６】  スライドトレイ１を上記のようなサイズとすることで、所定サイズの用紙は、３つの辺２１３、２１５、２２８に沿って設けられた複数の凸部２１６、２１７、２２０、２２１、２２４により、３方向から移動が規制される。これにより、少なくとも、次のような効果が得られる。（１）用紙がはみ出すのが、フレーム２００の第２の辺２１４に限られるので、用紙が挟まれているか否かを一目で視認することができる。（２）少なくともスライドトレイ１の３辺からは用紙がはみ出さないため、ラベル等をこれら３辺に相当するスライドトレイ１の側面に貼付又は記載すれば、ラベルの視認性が悪くなることが防止される。（３）用紙がスライドトレイ１からはみ出すので、スタック状態の複数のスライドトレイ１をスキャナ装置等にセットする際、用紙の抜き忘れが防止される。
【００３７】  ［４．効果］  以上、本技術によれば、複数の凸部２１６、２１７、２２０、２２１、２２４を、複数のスライドトレイ１のスタック時のガイドとして利用すると同時に、複数のスライドトレイ１同士の間に挟む用紙のガイドとして利用することができる。
【００３８】  ＜その他＞  なお、本技術は以下のような構成も採ることができる。  （１）１以上のスライドを載置可能な第１の面を有するスライドトレイ本体と、  前記スライドトレイ本体の第１の面に突出した１以上の第１の凸部であって、前記第１の面上に紙葉類を、前記第１の面上で互いに直交する２軸方向のうちの第１軸方向の一方側より押さえつつ載置可能な領域を設定する１以上の第１の凸部と  を具備するスライドトレイ。  （２）上記（１）に記載のスライドトレイであって、  前記スライドトレイ本体の前記第１の面に対して反対側の第２の面に、前記１以上の第１の凸部に対してそれぞれ対応して設けられた第１の凹部  をさらに具備するスライドトレイ。  （３）上記（１）又は（２）に記載のスライドトレイであって、  前記領域は、前記１以上の第１の凸部と、前記第１の面の前記第１軸方向の他方側の辺の一部とにより設定される  スライドトレイ。  （４）上記（１）から（３）のいずれか１つに記載のスライドトレイであって、  前記第１の面上に紙葉類を、前記２軸方向のうちの第２軸方向の少なくとも一方側より押さえつつ載置可能な領域を設定する１以上の第２の凸部  をさらに具備するスライドトレイ。  （５）上記（１）から（４）のいずれか１つに記載のスライドトレイであって、  前記１以上の第１の凸部の前記領域に対向する端部は、前記第２軸方向に一直線上に位置し、  前記１以上の第２の凸部の前記領域に対向する端部は、前記第１軸方向に一直線上に位置する  スライドトレイ。  （４）上記（６）から（５）のいずれか１つに記載のスライドトレイであって、  前記スライドトレイ本体の前記第２の面に、前記１以上の第２の凸部に対してそれぞれ対応して設けられた第２の凹部  をさらに具備するスライドトレイ。
【符号の説明】
【００３９】  １…スライドトレイ  １０…スライドトレイ本体  １００…スライド収納部  ２００…フレーム  ２１６…第１の長辺側凸部  ２１７…第２の長辺側凸部  ２２０…第１の短辺側凸部  ２２１…第２の短辺側凸部  ２２４…第３の短辺側凸部  ２２５…凸部禁止領域  ２３１…第１の長辺側凹部  ２３２…第２の長辺側凹部  ２３３…第１の短辺側凹部  ２３４…第２の短辺側凹部  ２３５…第３の短辺側凹部
【図１】
2014034048.tif 000003
【図２】
2014034048.tif 000004
【図３】
2014034048.tif 000005
【図４】
2014034048.tif 000006
【国際調査報告】
2014034048.tif 000007
2014034048.tif 000008
2014034048.tif 000009
2014034048.tif 000010